(57)【要約】【課題】フォーカスブリージングを抑制できる映画撮影用レンズを得る。【解決手段】映画撮影用レンズは、互いに光軸（Ｚ）方向に離間して配置され、フォーカシングのために光軸方向に移動する複数の移動レンズ（Ｇ２）および（Ｇ４）を備え、少なくとも２つの移動レンズ（Ｇ２）および（Ｇ４）のうち、少なくとも一対の相隣接するレンズの間に、移動しない固定レンズ（Ｇ３）を備える。【選択図】図１
2020137650.tif 000002
【特許請求の範囲】
【請求項１】
映画撮影用レンズであって、
互いに光軸方向に離間して配置され、フォーカシングのために光軸方向に移動する複数の移動レンズを備え、
前記少なくとも２つの移動レンズのうち、少なくとも一対の相隣接するレンズの間に、移動しない固定レンズを備える、
ことを特徴とする映画撮影用レンズ。
【請求項２】
請求項１に記載の映画撮影用レンズにおいて、
前記複数の移動レンズのうち、最も被写体側に配置される移動レンズは負のパワーを有し、
前記負のパワーを有する移動レンズよりも結像側に配置される少なくとも１つの移動レンズは正のパワーを有する、
ことを特徴とする映画撮影用レンズ。
【請求項３】
請求項２に記載の映画撮影用レンズにおいて、
前記負のパワーを有する移動レンズは、被写体側および結像側に凹面を有し、
前記正のパワーを有する移動レンズは、被写体側および結像側のうち、少なくとも被写体側に凸面を有する、
ことを特徴とする映画撮影用レンズ。
【請求項４】
請求項３に記載の映画撮影用レンズにおいて、
前記正のパワーを有する移動レンズは、焦点距離ｆaと、結像側の曲率半径Ｒaとが、
−０．１≦ｆa／Ｒa≦０．１
の関係を満たしていることを特徴とする映画撮影用レンズ。
【請求項５】
請求項１から４のいずれか１項に記載の映画撮影用レンズにおいて、
該映画撮影用レンズの全系の焦点距離ｆtと、
前記複数の移動レンズのうち、最も被写体側に配置される移動レンズの焦点距離ｆm1と、
前記固定レンズの結像側に配置される少なくとも１つの正のパワーを有する移動レンズの焦点距離ｆm2と、
前記固定レンズの焦点距離ｆSと、
が、
０．７≦ｆt／｜ｆm1｜≦１．５
０．７≦ｆt／｜ｆm2｜≦１．５
０．４≦ｆt／｜ｆS｜≦１．２
の関係を満たしていることを特徴とする映画撮影用レンズ。
【請求項６】
請求項５に記載の映画撮影用レンズにおいて、
前記焦点距離ｆtと、
前記複数の移動レンズのうち、最も被写体側に配置される移動レンズの焦点距離ｆm1と、
前記固定レンズの結像側に隣接する、正のパワーを有する移動レンズの焦点距離ｆm2と、
前記焦点距離ｆSと、
が、
０．７≦ｆt／｜ｆm1｜≦１．１
０．８≦ｆt／｜ｆm2｜≦１．５
０．５≦ｆt／｜ｆS｜≦１．１
の関係を満たしていることを特徴とする映画撮影用レンズ。
【請求項７】
請求項１から６のいずれか１項に記載の映画撮影用レンズにおいて、
前記固定レンズは、負のパワーを有するレンズと正のパワーを有するレンズとの接合レンズである、
ことを特徴とする映画撮影用レンズ。
【請求項８】
請求項１から７のいずれか１項に記載の映画撮影用レンズにおいて、
前記移動レンズおよび前記固定レンズは、該映画撮影用レンズの絞り位置よりも被写体側に配置されている、
ことを特徴とする映画撮影用レンズ。
【請求項９】
請求項１から８のいずれか１項に記載の映画撮影用レンズにおいて、
該映画撮影用レンズを構成する各レンズの屈折率の温度係数は、２０℃から４０℃における温度係数ＮＴａと、−２０℃から０℃における温度係数ＮＴbと、４０℃から６０℃における温度係数ＮＴcとが、
｜Σ（ＮＴａ−ＮＴb）｜≦２
｜Σ（ＮＴａ−ＮＴc）｜≦２
の関係を満たしていることを特徴とする映画撮影用レンズ。
【発明の詳細な説明】
【技術分野】
【０００１】
本発明は、映画撮影用レンズに関するものである。
【背景技術】
【０００２】
従来、例えば特許文献１に示されているように、映画の撮影に利用される映画撮影用レンズが知られている。なお本開示における「映画撮影」とは、映画用のフィルム撮影に限らず、ビデオ動画撮影やテレビ映像撮影など、いわゆる動画を撮影する概念を意味するものである。
【先行技術文献】
【特許文献】
【０００３】
【特許文献１】特開２０１５−２１５４３７号公報
【発明の概要】
【発明が解決しようとする課題】
【０００４】
しかし従来の映画撮影用レンズは、フォーカシング（合焦操作）による画角変動、いわゆるフォーカスブリージングを抑える上で改良の余地が残されている。本発明は上記の事情に鑑みてなされたものであり、フォーカスブリージングを抑制できる映画撮影用レンズを提供することを目的とする。
【課題を解決するための手段】
【０００５】
本発明による映画撮影用レンズは、
互いに光軸方向に離間して配置され、フォーカシングのために光軸方向に移動する複数の移動レンズを備え、
上記少なくとも２つの移動レンズのうち、少なくとも一対の相隣接するレンズの間に、移動しない固定レンズを備える、
ことを特徴とするものである。【０００６】
なお、上記の「移動レンズ」や「固定レンズ」における「レンズ」とは、１枚のレンズのみを指すものではなく、複数のレンズから構成されたレンズ群も含むものとする。【０００７】
本発明の映画撮影用レンズにおいては、
上記複数の移動レンズのうち、最も被写体側に配置される移動レンズは負のパワーを有し、
上記負のパワーを有する移動レンズよりも結像側に配置される少なくとも１つの移動レンズは正のパワーを有する、
ことが望ましい。【０００８】
そして、そのように構成される場合、
上記負のパワーを有する移動レンズは、被写体側および結像側に凹面を有し、
上記正のパワーを有する移動レンズは、被写体側および結像側のうち、少なくとも被写体側に凸面を有する、
ことが望ましい。【０００９】
さらに、上記正のパワーを有する移動レンズは、焦点距離ｆaと、結像側の曲率半径Ｒaとが、下記の条件式（１）
−０．１≦ｆa／Ｒa≦０．１  ・・・（１）
を満たしていることが望ましい。【００１０】
上記の条件式（１）が満たされる場合は、さらに下記条件式（１−１）
−０．０５≦ｆa／Ｒa≦０．０５  ・・・（１−１）
を満たしていることが望ましい。そしてその場合はさらに下記条件式（１−２）あるいは（１−３）を満たしていることがより望ましい。
−０．０３≦ｆa／Ｒa≦０  ・・・（１−２）
０≦ｆa／Ｒa≦０．０３    ・・・（１−３）【００１１】
また本発明の映画撮影用レンズにおいては、
該映画撮影用レンズの全系の焦点距離ｆtと、複数の移動レンズのうち最も被写体側に配置される移動レンズの焦点距離ｆm1と、固定レンズの結像側に配置される少なくとも１つの正のパワーを有する移動レンズの焦点距離ｆm2と、固定レンズの焦点距離ｆSとが、下記の条件式（２）
０．７≦ｆt／｜ｆm1｜≦１．５
０．７≦ｆt／｜ｆm2｜≦１．５
０．４≦ｆt／｜ｆS｜≦１．２
を全て満たしていることが好ましい。なお以下では、これら３つの式をまとめて条件式（２）と称する。【００１２】
また上記条件式（２）が満たされる場合は、
全系の焦点距離ｆtと、
上記複数の移動レンズのうち、最も被写体側に配置される移動レンズの焦点距離ｆm1と、
上記固定レンズの結像側に隣接する、正のパワーを有する移動レンズの焦点距離ｆm2と、
固定レンズの焦点距離ｆSとが、下記条件式
０．７≦ｆt／｜ｆm1｜≦１．１
０．８≦ｆt／｜ｆm2｜≦１．５
０．５≦ｆt／｜ｆS｜≦１．１
を満たしていることが望ましい。なお以下では、これら３つの式をまとめて条件式（３）と称する。【００１３】
また上記条件式（３）が満たされる場合は、下記条件式
０．８≦ｆt／｜ｆm1｜≦１
１≦ｆt／｜ｆm2｜≦１．３
０．６≦ｆt／｜ｆS｜≦０．８
を満たしていることがさらに望ましい。なお以下では、これら３つの式をまとめて条件式（３−１）と称する。【００１４】
また本発明の映画撮影用レンズにおいて、上記固定レンズは、負のパワーを有するレンズと正のパワーを有するレンズとの接合レンズである、ことが望ましい。【００１５】
また本発明の映画撮影用レンズにおいて、上記移動レンズおよび固定レンズは、該映画撮影用レンズの絞り位置よりも被写体側に配置されている、ことが望ましい。【００１６】
さらに、本発明の映画撮影用レンズにおいて、
該映画撮影用レンズを構成する各レンズの屈折率の温度係数は、２０℃から４０℃における温度係数ＮＴａと、−２０℃から０℃における温度係数ＮＴbと、４０℃から６０℃における温度係数ＮＴcとが、下記条件式（４）
｜Σ（ＮＴａ−ＮＴb）｜≦２  かつ  ｜Σ（ＮＴａ−ＮＴc）｜≦２・・・（４）
を満たしていることが望ましい。
【発明の効果】
【００１７】
本発明による映画撮影用レンズは、上記のようにフォーカシングのために光軸方向に移動する複数の移動レンズを備え、それらの少なくとも２つの移動レンズのうち、少なくとも一対の相隣接するレンズの間に、移動しない固定レンズを備えたことにより、フォーカスブリージングを抑制することができる。
【図面の簡単な説明】
【００１８】
【図１】実施例１の映画撮影用レンズを示す断面図
【図２】実施例１の映画撮影用レンズを異なる３つの合焦状態毎に示す断面図
【図３】実施例１の映画撮影用レンズを構成する光学要素の基本データを示す図
【図４】実施例１における接合レンズの合成焦点距離を示す図
【図５】実施例１における各レンズの屈折率の温度係数に係るデータを示す図
【図６】実施例２の映画撮影用レンズを示す断面図
【図７】実施例２の映画撮影用レンズを構成する光学要素の基本データを示す図
【図８】実施例２における接合レンズの合成焦点距離を示す図
【図９】実施例２における各レンズの屈折率の温度係数に係るデータを示す図
【図１０】実施例３の映画撮影用レンズを示す断面図
【図１１】実施例３の映画撮影用レンズを構成する光学要素の基本データを示す図
【図１２】実施例３における接合レンズの合成焦点距離を示す図
【図１３】実施例３における各レンズの屈折率の温度係数に係るデータを示す図
【発明を実施するための形態】
【００１９】
以下、本発明の実施形態を図面を参照して詳細に説明する。以下では、各構成要素の詳しい数値例を示しながら実施例１〜３について説明する。
【００２０】
[実施例１]
図１は、本発明の一実施形態に係る映画撮影用レンズ（以下、これを実施例１の映画撮影用レンズという）のレンズ構成を示す断面図である。図１においては、左側が被写体側で右側が結像側であり、無限遠合焦状態にある映画撮影用レンズを示している。以上述べた表示の仕方は、後述する実施例２および３の映画撮影用レンズをそれぞれ示す図６および図１０においても同様である。
【００２１】
本実施例１の映画撮影用レンズは、光軸Ｚに沿って被写体側から順に配置された、正の屈折力を有する第１レンズ群Ｇ１、負の屈折力を有する第２レンズ群Ｇ２、正の屈折力を有する第３レンズ群Ｇ３、正の屈折力を有する第４レンズ群Ｇ４、および負の屈折力を有する第５レンズ群Ｇ５を有している。第２レンズ群Ｇ２および第４レンズ群Ｇ４は後に詳述するように、無限遠被写体と最至近被写体との間でフォーカシング（合焦）する際に、隣接するレンズ群との間隔が変化するように光軸Ｚ方向に移動するフォーカス群である。それら以外の第１レンズ群Ｇ１、第３レンズ群Ｇ３および第５レンズ群Ｇ５は、フォーカシングの際に像面Ｓｉｍとの間の距離が変化することのない固定群とされている。
【００２２】
なお、上記の「レンズ群」とは、複数のレンズから構成されたものだけでなく、１枚のレンズのみで構成されるものも含むものとする。また、「正の屈折力を有する」ことについては、以下、単に「正の」あるいは「正」と言うこともある。この点は、「負の屈折力を有する」ことについても同様である。
【００２３】
第１レンズ群Ｇ１は、１枚の両凸レンズＬ１から構成されている。第２レンズ群Ｇ２は、光軸Ｚに沿って被写体側から順に配置された、両凹レンズＬ２、およびこのレンズＬ２に接合された正のメニスカスレンズＬ３から構成されている。第３レンズ群Ｇ３は、光軸Ｚに沿って被写体側から順に配置された、被写体側に凸面を向けた負のメニスカスレンズＬ４、およびこのレンズＬ４に接合された両凸レンズＬ５から構成されている。第４レンズ群Ｇ４は、１枚の正の両凸レンズＬ６から構成されている。第５レンズ群Ｇ５は、光軸Ｚに沿って被写体側から順に配置された、両凹レンズＬ７、両凸レンズＬ８、結像側に凸面を向けた負のメニスカスレンズＬ９、このレンズＬ９に接合された両凹レンズＬ１０、結像側に凸面を向けた負のメニスカスレンズＬ１１、このレンズＬ１１に接合された結像側に凸面を向けた正のメニスカスレンズＬ１２、および結像側に凸面を向けた正のメニスカスレンズＬ１３から構成されている。
【００２４】
第５レンズ群Ｇ５において、レンズＬ８とレンズＬ９との間には開口絞りＳｔが配置されており、レンズＬ１０とレンズＬ１１との間にはフレアカッタＳｖが配置されている。なお、上記の開口絞りＳｔおよびフレアカッタＳｖは必ずしも大きさや形状を表すものではなく、光軸Ｚ上の位置を示すものである。本実施形態の映画撮影用レンズを撮像装置に適用する際には、レンズを装着するカメラ側の構成に応じて、光学系と像面Ｓｉｍの間にカバーガラス、プリズム、赤外線カットフィルタ、およびローパスフィルタ等の各種フィルタを配置することが多い。図１は、このような場合を想定して、平行平面板状のカバーガラスＣＧがレンズ系と像面Ｓｉｍとの間に配置された例を示している。
【００２５】
ここで図２の上段、中段、および下段にそれぞれ、上記構成の映画撮影用レンズが無限遠被写体に合焦している場合の状態、無限遠と最至近との間の中間位置にある被写体に合焦している場合の状態、および最至近被写体に合焦している場合の状態を、各々「ＩＮＦ」、「ＭＩＤ」、「ＭＯＤ」の表記を付けて示す。ここに示される通り本実施例１では、合焦させる被写体が遠側から近側に移動するのにつれて、第２レンズ群Ｇ２および第４レンズ群Ｇ４は光軸Ｚに沿って被写体側に移動する。それに対して、第２レンズ群Ｇ２よりも被写体側に配置された第1レンズ群Ｇ1、第２レンズ群Ｇ２と第４レンズ群Ｇ４との間に配置された第３レンズ群Ｇ３、そして第４レンズ群Ｇ４よりも結像側に配置された第５レンズ群Ｇ５は、フォーカシングの際に移動することのない固定群とされている。
【００２６】
以上のように、互いに光軸Ｚ方向に離間して配置され、フォーカシングのために光軸Ｚ方向に移動する第２レンズ群Ｇ２と第４レンズ群Ｇ４との間に、固定レンズすなわち第３レンズ群Ｇ３を配置しておくことにより、前述したフォーカスブリージングを抑制可能となる。以上述べた構成、および、それにより得られている効果は、後述する実施例２および実施例３においても当てはまるものである。
【００２７】
また、上述のように移動する第２レンズ群Ｇ２および第４レンズ群Ｇ４の中で、最も被写体側に配置されたレンズつまり第２レンズ群Ｇ２は負のパワーを有しており、また、この負のパワーを有する第２レンズ群Ｇ２よりも結像側に配置されたレンズＬ６は正のパワーを有する両凸レンズとされている。このようなパワー配置とすることにより、フォーカスブリージングを抑制する効果はより顕著になる。以上述べた構成、および、それにより得られている効果は、後述する実施例２および実施例３においても当てはまるものである。なお、負のパワーを有するレンズＬ２よりも結像側において、両凸レンズＬ６に加えて、正のパワーを有するレンズがさらに配置されてもよい。
【００２８】
なお、上述のように負のパワーを有する第２レンズ群Ｇ２は全体として、被写体側および結像側に凹面を有しており、そして上記正のパワーを有するレンズＬ６は、被写体側および結像側のうち少なくとも被写体側に凸面を有するものである。このようなレンズ面形状としておくことにより、フォーカスブリージングを抑制する効果はよりさらに顕著になる。以上述べた構成、および、それにより得られている効果は、後述する実施例２および実施例３においても当てはまるものである。
【００２９】
なお上記レンズＬ６は、被写体側および結像側の双方に凸面を有する両凸レンズであるが、そのような両凸レンズに代えて、正のパワーを有して被写体側のみに凸面を有するレンズ、つまり正のメニスカスレンズが用いられてもよい。後述する実施例２および実施例３は、そのように構成されている。
【００３０】
上述のように移動する第２レンズ群Ｇ２と第４レンズ群Ｇ４との間に配置された第３レンズ群Ｇ３は、負のパワーを有するレンズＬ４と、正のパワーを有するレンズＬ５とが接合されてなる接合レンズから構成されている。このような接合レンズを適用することにより、色収差を抑えることができる。以上述べた構成、および、それにより得られている効果は、後述する実施例２および実施例３においても当てはまるものである。
【００３１】
また、上述のように移動する第２レンズ群Ｇ２および第４レンズ群Ｇ４、ならびにそれらの間に配置された第３レンズ群Ｇ３は、本映画撮影用レンズにおいて設けられた開口絞りＳｔおよびフレアカッタＳｖよりも被写体側に配置されている。開口絞りＳｔおよびフレアカッタＳｖは一般に有効径の大きなレンズの近くに配置されるが、そのような絞り位置よりも被写体側に配置されたレンズをフォーカシングのために移動させれば、フォーカスブリージングを抑え易くなる。以上述べた構成、および、それにより得られている効果は、後述する実施例２および実施例３においても当てはまるものである。
【００３２】
次に、本実施例１における各部仕様の数値について、無限遠合焦時の値を図３〜図５を参照して説明する。なお、以下で説明する数値は好ましい例であって、本発明においてそれらの数値だけが適用され得るものではないことは勿論である。
【００３３】
実施例１の映画撮影用レンズの基本レンズデータを図３に示す。また実施例１で用いられている接合レンズの合成焦点距離を図４に示す。各レンズの屈折率の温度係数に関するデータを図５に示す。以下、表中の記号の意味について、実施例１のものを例に挙げて説明するが、実施例２および実施例３についても基本的に同様である。
【００３４】
図３の基本レンズデータにおいて、Ｎｏ．の欄には最も被写体側の構成要素の面を１番目として結像側に向かうにつれて順次増加するｉ番目（ｉ＝１、２、３、…）の面番号を示す。なおｉ＝０の面は、「ＯＢＪ」として示す被写体の面である。Ｒｉの欄にはｉ番目の面の曲率半径を示し、ｄｉの欄にはｉ番目の面とｉ＋１番目の面との光軸Ｚ上の面間隔を示す。Ｄｉの欄にはｉ番目の面の有効径を示す。以上の長さを示すデータの単位はｍｍである。またｎｄの欄には、最も被写体側の光学要素を１番目として結像側に向かうにつれて順次増加するｊ番目（ｊ＝１、２、３、…）の光学要素のｄ線（波長５８７．６ｎｍ）に対する屈折率を示し、νｄの欄には同じくｊ番目の光学要素のｄ線に対するアッベ数を示し、焦点距離の欄には同じくｊ番目の光学要素のｄ線に対する焦点距離を示す。なお、レンズについてはＬ１やＬ２のようにＬに数字を付けて特定しているが、その数字が上記のｊである。
【００３５】
曲率半径の符号は、面形状が被写体側に凸の場合を正、結像側に凸の場合を負としている。基本レンズデータには、開口絞りＳｔ、フレアカッタＳｖ、カバーガラスＣＧ、像面Ｓｉｍも含めて示している。開口絞りＳｔおよびフレアカッタＳｖに相当する面には、それぞれ面番号を記載している。また、ｄｉの下から２番目の欄の値は、カバーガラスＣＧの結像側の面と像面Ｓｉｍとの面間隔である。
【００３６】
図３および図４に示す焦点距離の単位はｍｍであり、正のパワーを有するレンズの焦点距離は正値とし、負のパワーを有するレンズの焦点距離は負値としている。図４の「合成焦点距離」についは、左の欄に、互いに接合される２つのレンズを「/」を挟んで前後に示した上で、その右の欄に合成焦点距離を示している。この合成焦点距離の値も、ｄ線に対するものである。
【００３７】
図５に示す各レンズの屈折率の温度係数については、ｅ線（波長５４６．０７ｎｍ）に対する値を示しており、ＮＴａとして２０℃〜４０℃の範囲における値を、ＮＴｂとして−２０℃〜０℃の範囲における値を、ＮＴｃとして４０℃〜６０℃の範囲における値を示している。また、この表の右２つの列には、ＮＴａとＮＴｂとの差、およびＮＴａとＮＴｃとの差を示している。なお、以上述べた図３〜図５の各表では、所定の桁で適宜まるめた数値を記載している。
【００３８】
以下、前述した条件式（１）が規定している各値について検討する。本実施例において、被写体側に凸面を有して正のパワーを有する移動レンズは両凸レンズＬ６である。図３より、この両凸レンズＬ６の結像側の曲率半径Ｒa＝−９８１４．０ｍｍであり、またその焦点距離ｆa＝２３９．６４０ｍｍである。よってｆa／Ｒa＝−０．０２４である。このように本実施例では条件式（１）が満たされており、両凸レンズＬ６の結像側のレンズ面が平面に近い程度の曲率半径を有していることが分かる。このような構成とすることにより本実施例の映画撮影用レンズによれば、フォーカスブリージングをより一層抑えることができる。なお、ｆa／Ｒaの値が条件式（１）の上限値を超えたり、下限値を下回ると、フォーカスブリージングをより一層抑えることができるという効果を顕著に得ることはできない。以上述べた構成、および、それにより得られている効果は、後述する実施例２および実施例３においても当てはまるものである。
【００３９】
なお、より詳細に検討すると、ｆa／Ｒa＝−０．０２４の値は、前述した（１−１）式も、さらには（１−２）式も満たしており、そこで、フォーカスブリージングをより一層抑えることができるという効果がさらに顕著なものとなる。
【００４０】
次に、前述した条件式（２）が規定している各値について検討する。本実施例において、映画撮影用レンズの全系の焦点距離ｆt＝２８０ｍｍである。また、複数の移動レンズのうち１のレンズである最も被写体側に配置されるレンズである第２レンズ群Ｇ２（レンズＬ２およびＬ３）の焦点距離ｆm1は＝−３１０．８９０であり、他の一つのレンズである固定レンズであるレンズ群Ｇ３の結像側に配置される少なくとも１つの正のパワーを有する移動レンズである第４レンズ群Ｇ４（レンズＬ６）の焦点距離ｆm2＝２３９．６４０である。そして、固定レンズである第３レンズ群Ｇ３（レンズＬ４およびＬ５）の焦点距離ｆS＝４０６.４２０である。以上の値から、ｆt／｜ｆm1｜の値、ｆt／｜ｆm2｜の値ｆt／｜ｆS｜の値を求めると、それらは、
ｆt／｜ｆm１｜＝０．９０
ｆt／｜ｆm2｜＝１．１７
ｆt／｜ｆS｜＝０．６７
の値を取る。
【００４１】
したがって本実施例では、条件式（２）が満たされている。また、ｆt／｜ｆm１｜＝０．９０、ｆt／｜ｆm2｜＝１．１７、ｆt／｜ｆS｜＝０．６７は、条件式（３）および条件式（３−１）についても満たしている。このような構成とすることにより本実施例の映画撮影用レンズによれば、フォーカスブリージングをより一層抑えることができる。なお、ｆt／｜ｆm1｜の値、ｆt／｜ｆm2｜の値、ｆt／｜ｆS｜の値が条件式（２）の上限値を超えたり、下限値を下回ると、フォーカスブリージングをより一層抑えることができるという効果を顕著に得ることはできない。この条件式（２）、（３）、（３−１）から導かれるように、固定レンズの焦点距離ｆSを移動レンズの焦点距離ｆmよりも大きく設定しておくことにより、この点からもフォーカスブリージングを抑制可能となる。以上述べた構成、および、それにより得られている効果は、後述する実施例２および実施例３においても当てはまるものである。
【００４２】
次に、各レンズの屈折率の温度係数等を示す図５を参照して、前述した条件式（４）が規定している各値について検討する。Σ（ＮＴａ−ＮＴb）は、レンズＬ１〜Ｌ１３の各々についてのＮＴａ−ＮＴbの値を全て加えたものである。またΣ（ＮＴａ−ＮＴｃ）は、レンズＬ１〜Ｌ１３の各々についてのＮＴａ−ＮＴｃの値を全て加えたものである。それらを図５に示す値から求めると、
Σ（ＮＴａ−ＮＴb）＝０．３
Σ（ＮＴａ−ＮＴｃ）＝−１．２
である。したがって、本実施例では条件式（４）が満たされている。それにより、映画撮影用レンズの焦点位置が、温度変化によって変動することを抑制できる。
【００４３】
[実施例２]
次に、本発明の実施例２による映画撮影用レンズについて説明する。なお以下では、実施例１との相違点を主に説明する。図６に断面図を示す本実施例２の映画撮影用レンズは、実施例１の映画撮影用レンズと対比すると、第５レンズ群Ｇ５においてレンズＬ１０とフレアカッタＳvとの間にレンズＬ１１が配置されている点で異なる。なお、レンズＬ１１は両凹レンズである。また実施例１ではレンズＬ６が両凸レンズであるの対し、本実施例２ではレンズＬ６として正のメニスカスレンズが適用されている。
【００４４】
実施例２の映画撮影用レンズの基本レンズデータを図７に示す。また実施例２で用いられている接合レンズの合成焦点距離を図８に示す。各レンズの屈折率の温度係数に関するデータを図９に示す。
【００４５】
以下、前述した条件式（１）が規定している各値について検討する。本実施例２において、被写体側に凸面を有して正のパワーを有する移動レンズは両凸レンズＬ６である。図７より、この両凸レンズＬ６の結像側の曲率半径Ｒa＝１８７３０．１ｍｍであり、またその焦点距離ｆa＝２９６．０９０ｍｍである。よってｆa／Ｒa＝０．０１６である。このように本実施例２でも条件式（１）が満たされており、両凸レンズＬ６の結像側のレンズ面が平面に近い程度の曲率半径を有していることが分かる。このような構成とすることにより本実施例の映画撮影用レンズによれば、フォーカスブリージングをより一層抑えることができる。詳細に検討すると、ｆa／Ｒa＝０．０１６の値は、前述した（１−１）式も、さらには（１−３）式も満たしており、そこで、フォーカスブリージングをより一層抑えることができるという効果がさらに顕著なものとなる。
【００４６】
本実施例において、映画撮影用レンズの全系の焦点距離ｆt＝２８０ｍｍである。また、複数の移動レンズのうち１のレンズである第２レンズ群Ｇ２（レンズＬ２およびＬ３）の焦点距離ｆm1は＝−３０７．１３０であり、他の一つのレンズである第４レンズ群Ｇ４（レンズＬ６）の焦点距離ｆm2＝２９６．０９０である。そして、固定レンズである第３レンズ群Ｇ３（レンズＬ４およびＬ５）の焦点距離ｆS＝３１９．７００である。以上の値から、ｆt／｜ｆm1｜の値、ｆt／｜ｆS｜の値を求めると、それらは、
ｆt／｜ｆm１｜＝０．９１
ｆt／｜ｆm2｜＝０．９５
ｆt／｜ｆS｜＝０．８８
の値を取る。
【００４７】
したがって本実施例では、条件式（２）、（３）が満たされている。このような構成とすることにより本実施例の映画撮影用レンズによれば、フォーカスブリージングをより一層抑えることができる。この条件式（２）、（３）から導かれるように、固定レンズの焦点距離ｆSを移動レンズの焦点距離ｆmよりも大きく設定しておくことにより、この点からもフォーカスブリージングを抑制可能となる。
【００４８】
次に、各レンズの屈折率の温度係数等を示す図９を参照して、前述した条件式（４）が規定している各値について検討する。Σ（ＮＴａ−ＮＴb）は、レンズＬ１〜Ｌ１４の各々についてのＮＴａ−ＮＴbの値を全て加えたものである。またΣ（ＮＴａ−ＮＴｃ）は、レンズＬ１〜Ｌ１４の各々についてのＮＴａ−ＮＴｃの値を全て加えたものである。それらを図９に示す値から求めると、
Σ（ＮＴａ−ＮＴb）＝０．９
Σ（ＮＴａ−ＮＴｃ）＝−１．３
である。したがって、本実施例では条件式（４）が満たされている。それにより、映画撮影用レンズの焦点位置が、温度変化によって変動することを抑制できる。
【００４９】
[実施例３]
次に、本発明の実施例３による映画撮影用レンズについて説明する。図１０に断面図を示す本実施例３の映画撮影用レンズは、実施例１の映画撮影用レンズと対比すると、第５レンズ群Ｇ５においてレンズＬ１０とフレアカッタＳvとの間にレンズＬ１１が配置されている点で異なる。なお、レンズＬ１１は被写体側に凸面を向ける負のメニスカスレンズである。また実施例１ではレンズＬ６が両凸レンズであるの対し、本実施例３ではレンズＬ６として正のメニスカスレンズが適用されている。
【００５０】
実施例３の映画撮影用レンズの基本レンズデータを図１１に示す。また実施例３で用いられている接合レンズの合成焦点距離を図１２に示す。各レンズの屈折率の温度係数に関するデータを図１３に示す。
【００５１】
以下、前述した条件式（１）が規定している各値について検討する。本実施例３において、被写体側に凸面を有して正のパワーを有する移動レンズは両凸レンズＬ６である。図１１より、この両凸レンズＬ６の結像側の曲率半径Ｒa＝１７２８５．５ｍｍであり、またその焦点距離ｆa＝２７０．６４０ｍｍである。よってｆa／Ｒa＝０．０１６である。このように本実施例３でも条件式（１）が満たされており、両凸レンズＬ６の結像側のレンズ面が平面に近い程度の曲率半径を有していることが分かる。このような構成とすることにより本実施例の映画撮影用レンズによれば、フォーカスブリージングをより一層抑えることができる。詳細に検討すると、ｆa／Ｒa＝０．０１６の値は、前述した（１−１）式も、さらには（１−３）式も満たしており、そこで、フォーカスブリージングをより一層抑えることができるという効果がさらに顕著なものとなる。
【００５２】
本実施例において、映画撮影用レンズの全系の焦点距離ｆt＝２８０ｍｍである。また、複数の移動レンズのうち１のレンズである第２レンズ群Ｇ２（レンズＬ２およびＬ３）の焦点距離ｆm1は＝−３１２．５００であり、他の一つのレンズである第４レンズ群Ｇ４（レンズＬ６）の焦点距離ｆm2＝２７０．６４０である。そして、固定レンズである第３レンズ群Ｇ３（レンズＬ４およびＬ５）の焦点距離ｆS＝３４４．９２０である。以上の値から、ｆt／｜ｆm1｜の値、ｆt／｜ｆS｜の値を求めると、それらは、
ｆt／｜ｆm１｜＝０．８９
ｆt／｜ｆm2｜＝１．０３
ｆt／｜ｆS｜＝０．８１
の値を取る。
【００５３】
したがって本実施例では、条件式（２）、（３−１）が満たされている。このような構成とすることにより本実施例の映画撮影用レンズによれば、フォーカスブリージングをより一層抑えることができる。この条件式（２）、（３−１）から導かれるように、固定レンズの焦点距離ｆSを移動レンズの焦点距離ｆmよりも大きく設定しておくことにより、この点からもフォーカスブリージングを抑制可能となる。
【００５４】
次に、各レンズの屈折率の温度係数等を示す図１３を参照して、前述した条件式（４）が規定している各値について検討する。Σ（ＮＴａ−ＮＴb）は、レンズＬ１〜Ｌ１４の各々についてのＮＴａ−ＮＴbの値を全て加えたものである。またΣ（ＮＴａ−ＮＴｃ）は、レンズＬ１〜Ｌ１４の各々についてのＮＴａ−ＮＴｃの値を全て加えたものである。それらを図１３に示す値から求めると、
Σ（ＮＴａ−ＮＴb）＝０．２
Σ（ＮＴａ−ＮＴｃ）＝−１．０
である。したがって、本実施例では条件式（４）が満たされている。それにより、映画撮影用レンズの焦点位置が、温度変化によって変動することを抑制できる。
【００５５】
以上、複数の実施例を挙げて本発明を説明したが、本発明は上記実施例に限定されず、種々の変形が可能である。例えば、各レンズ成分の曲率半径、面間隔、屈折率、アッベ数等の値は、上記各実施例で示した値に限定されず、他の値をとり得るものである。
【符号の説明】
【００５６】
ＣＧ    カバーガラス
Ｇ１    第１レンズ群
Ｇ２    第２レンズ群
Ｇ３    第３レンズ群
Ｇ４    第４レンズ群
Ｇ５    第５レンズ群
Ｌ１〜Ｌ１４    レンズ
Ｓｔ    開口絞り
Ｓｖ    フレアカッタ
Ｓｉｍ  像面
Ｚ      光軸
【図１】
2020137650.tif 000003
【図２】
2020137650.tif 000004
【図３】
2020137650.tif 000005
【図４】
2020137650.tif 000006
【図５】
2020137650.tif 000007
【図６】
2020137650.tif 000008
【図７】
2020137650.tif 000009
【図８】
2020137650.tif 000010
【図９】
2020137650.tif 000011
【図１０】
2020137650.tif 000012
【図１１】
2020137650.tif 000013
【図１２】
2020137650.tif 000014
【図１３】
2020137650.tif 000015
【国際調査報告】
2020137650.tif 000016
2020137650.tif 000017
2020137650.tif 000018
2020137650.tif 000019
2020137650.tif 000020
2020137650.tif 000021